(57)【要約】【課題】本発明は、口腔内測定装置に関するもので、プリズムの破損時における破片の飛散を防止することを目的とするものである。【解決手段】そしてこの目的を達成するために本発明は、プローブ本体１と、このプローブ本体１の先端側に着脱自在に設けた口腔内挿入部２と、この口腔内挿入部２の内部に設けられた長形形状のガラス製プリズム１６と、このプリズム１６の後方で前記プリズム１６に光学的に接続された投影部９および撮像部２１とを備え、  前記プリズム１６の前端側下面に光入出部１７を設けるとともに、この光入出部１７に対向する上面側に傾斜面１８を設け、この傾斜面１８と、この傾斜面１８に隣接するプリズム１６の側面（１６ａ、１６ｂ）に保護テープ２５を接着した。【選択図】図５
2011087733.tif 000002
【特許請求の範囲】
【請求項１】
プローブ本体と、このプローブ本体の先端側に着脱自在に設けた口腔内挿入部と、この口腔内挿入部の内部に設けられた長形形状のガラス製プリズムと、このプリズムの後方で前記プリズムに光学的に接続された投影部および撮像部とを備え、
前記プリズムの前端側下面に光入出部を設けるとともに、この光入出部に対向する上面側に傾斜面を設け、この傾斜面と、この傾斜面に隣接するプリズムの側面に保護テープを接着した口腔内測定装置。
【請求項２】
保護テープは、プリズムの傾斜面に接着させる傾斜面保護部と、このプリズムの側面に接着させる側面保護部とを一体成型した請求項１に記載の口腔内測定装置。
【請求項３】
保護テープは、前記プリズムの両側面に接着させる側面保護部の後方側端部を、プローブ本体の保持部に当接させた請求項１または２に記載の口腔内測定装置。
【請求項４】
保護テープは、樹脂製フィルムと金属製フィルムとを重ねた構成とし、前記金属製フィルムは、前記プローブ本体からの熱導伝部に熱的に接続した請求項１から３のいずれか一つに記載の口腔内測定装置。
【請求項５】
保護テープは、黒色系とした請求項１から４のいずれか一つに記載の口腔内測定装置。
【発明の詳細な説明】
【技術分野】
【０００１】
本発明は、口腔内測定装置に関するものである。
【背景技術】
【０００２】
従来のこの種、口腔内測定装置の構成は、以下のような構成となっていた。
【０００３】
すなわち、プローブ本体と、このプローブ本体の先端側に着脱自在に設けた口腔内挿入部と、この口腔内挿入部の内部に設けられた長形形状のガラス製プリズムとを備えた構成となっていた。
【０００４】
そして使用時には、プローブ本体を把持し、患者の口腔内に口腔内挿入部を挿入した後、歯や歯茎の測定を行うのであるが、最初の患者を測定した後に、そのまま続いて、次の患者を測定しようとする場合には、機器の衛生状態を保つために、最初の患者の口の中に挿入した口腔内挿入部をプローブ本体から脱着し、別の新たな口腔内挿入部と交換するようにしていた（例えば下記特許文献１）。
【先行技術文献】
【特許文献】
【０００５】
【特許文献１】特開平８−１７３３７７号公報
【発明の概要】
【発明が解決しようとする課題】
【０００６】
上記従来例における課題は、口腔内挿入部の交換時に、この口腔内挿入部内部に設けたプリズムを誤って破損させた場合、その破片が飛散してしまうことであった。
【０００７】
すなわち、上記従来の構成においては、プローブ本体を把持し、患者の口腔内に口腔内挿入部を挿入した後、歯や歯茎の測定を行うのであるが、最初の患者を測定した後には、最初の患者の口の中に挿入した口腔内挿入部をプローブ本体から脱着し、別の新たな口腔内挿入部と交換するようにしている。
【０００８】
その時、交換する新しい口腔内挿入部は、その衛生状態を保つために、例えばナイロン製の収納袋にパッキングされている。そのため、口腔内挿入部の交換時には、まず、一度プローブ本体を保持台等に置き、次に、両手で収納袋を開封し、片方の手で収納袋から口腔内挿入部を取り出し、その後、もう一方の手でプローブ本体を取り上げた後に、そのプローブ本体の前方に新しい口腔内挿入部を取りつけることになる。
【０００９】
したがって、この口腔内挿入部の交換中は、口腔内挿入部の内側に設けた長形形状のガラス製のプリズムが、プローブ本体の前方で、むき出しの状態で保持されることになる。
この時、プリズムを誤って他の治療機器に当ててしまうとか、プローブ本体を落下させてしまうとかすると、ガラス製のプリズムは破損し、その破片が飛散してしまい、医療現場にあっては非常に不適切な状態となってしまうのである。
【００１０】
そこで本発明は、プリズムの破損時における破片の飛散を防止することを目的とするものである。
【課題を解決するための手段】
【００１１】
そして、この目的を達成するために本発明は、プローブ本体と、前記プローブ本体の先端側に着脱自在に設けた口腔内挿入部と、この口腔内挿入部の内部に設けられた長形形状のガラス製プリズムと、このプリズムの後方で前記プリズムに光学的に接続された投影部および撮像部とを備え、前記プリズムの前端側下面に光入出部を設けるとともに、この光入出部に対向する上面側に傾斜面を設け、この傾斜面と、この傾斜面に隣接するプリズムの側面に保護テープを接着した構成とし、これにより所期の目的を達成するものである。
【発明の効果】
【００１２】
以上のように本発明は、プローブ本体と、前記プローブ本体の先端側に着脱自在に設けた口腔内挿入部と、この口腔内挿入部の内部に設けられた長形形状のガラス製プリズムと、このプリズムの後方で前記プリズムに光学的に接続された投影部および撮像部とを備え、前記プリズムの前端側下面に光入出部を設けるとともに、この光入出部に対向する上面側に傾斜面を設け、この傾斜面と、この傾斜面に隣接するプリズムの側面に保護テープを接着したものであるので、プリズムの破損時における飛散を防止することができる。
【００１３】
すなわち、本発明においては、プリズム前端の傾斜面と、この傾斜面に隣接するプリズムの両側面に保護テープを接着した、つまり、プリズムの周囲を保護テープで保護したものである。
そのため、口腔内挿入部の交換時において、プリズムを誤って他の治療機器に当ててしまうとか、プローブ本体を落下させてしまうとかして、ガラス製のプリズムを破損させてしまった場合においても、その破片は保護テープに接着された状態となり、その結果として、プリズムの破片が飛び散ることはなく、その飛散を防止することができる。
【図面の簡単な説明】
【００１４】
【図１】本発明の一実施形態の使用例を示す斜視図
【図２】その側面図
【図３】その内面図
【図４】その斜視図
【図５】その斜視図
【図６】（ａ）その主要部の分解図（ｂ）その主要部の分解図（ｃ）その主要部の展開図
【図７】（ａ）その側面図（ｂ）その主要部の断面図（ｃ）その主要部の後面図
【発明を実施するための形態】
【００１５】
以下、本発明の一実施形態を、添付図面を用いて説明する。
【００１６】
図１は、本発明の一実施形態を、口腔内において歯や歯茎などを測定する口腔内スキャナーに適用した物を示す。
【００１７】
図１において、１はプローブ本体で、このプローブ本体１の先端側には口腔内挿入部２が装着されており、図１に示すごとく、この口腔内挿入部２を患者３の口腔内に挿入し、歯や歯茎の形状を測定していく。
【００１８】
図２は、口腔内挿入部２が装着されたプローブ本体１を横から見た図であり、歯の測定においては、図２に示すごとく、まず、口腔内挿入部２の先端側に設けた測定窓４に立設した位置決めリブ５を歯６に当接させ、つぎに測定者が測定ボタン７を押すと、歯６の測定が開始される。そして、測定された歯６の画像データは、ケーブル８を介して、データ処理装置（図示せず）に送られ、この画像データを元にデータ処理が行われ、歯６の３次元の歯形を形成していくようになっている。
【００１９】
さて、ここで図３は口腔内挿入部２が装着されたプローブ本体１の内面図であり、まず、プローブ本体１内には、測定の基準パターンの画像を、歯６に投影するための投影部９が設けられており、この投影部９は、例えばＬＥＤや半導体レーザである光源部１０からの光を、偏光ビームスプリッタ１１、反射型液晶素子１２を介して、投影レンズ１３から出射させる構成となっている。
なお、反射型液晶素子１２には、制御部１４が電気的に接続されており、この制御部１４からの指示により、反射型液晶素子１２によって、基準パターンが作成され、基準パターンが投影部９から出射される。
【００２０】
つぎに、投影部９から出射された出射光（基準パターン）は、アルミ製の保持部１５によって、プローブ本体１から突出するように保持されている長形形状のガラス製プリズム１６に対し、その後方からプリズム１６内に進入する。なお、プリズム１６は、プリズム１６の前端側下面に光入出部１７を設けるとともに、この光入出部１７に対向する上面側に傾斜面１８を設けた構成となっている。
【００２１】
そして、プリズム１６に対し、その後方からプリズム１６内に進入した出射光は、光路１９に示すごとく、前方に向かってプリズム１６の上下面で２回反射し、プリズム１６前方に設けた傾斜面１８に到達する。なお、この傾斜面１８は、全反射性のミラー層をコーティングした前端面ミラーとなっており、出射光は、この傾斜面１８により、下方に向けて反射され、光入出部１７にてプリズム１６から出射される。
【００２２】
その後、出射光は、プローブ本体１に装着されている口腔内挿入部２の先端下面に設けられた測定窓４から、下方の歯６に向かって出射される。なお、測定窓４は、光を透過させる透明な部材で形成されている。
【００２３】
次に、歯６で反射した反射光は、口腔内挿入部２の測定窓４を介して、光入出部１７から再びプリズム１６の先端に入射し、光入出部１７の上面側に設けた傾斜面１８でプリズム１６後方に反射される。
【００２４】
そして、光路２０に示すごとく、プリズム１６の上下面で２回反射して後方に向かっていき、プリズム１６の後方に設けた撮像部２１に入射する。この撮像部２１に入射した反射光は、撮像部２１の前方に設けられた測定レンズ２２を介して、測定素子２３に到達する。そして、この測定素子２３にて、基準パターンを投影した歯６や歯茎（図示せず）の画像を測定することになる。
【００２５】
なお、この測定された画像データは、制御部１４を介した後、ケーブル８を経由してデータ処理装置（図示せず）に伝送される。
このデータ処理装置は、伝送された画像データを元にデータ処理を行い、その結果、歯６の３次元の歯形が形成されることになる。
【００２６】
また、ケーブル８には、光源部１０、反射型液晶素子１２、制御部１４、測定素子２３等に供給される電源（図示せず）が接続されており、本口腔内スキャナーに電力を供給している。
【００２７】
そして、この時、着脱ボタン２４を押し上げ、口腔内挿入部２を前方に引き抜くことにより、図４に示すごとく、口腔内挿入部２はプローブ本体１から脱着されることになる。
【００２８】
また、このとき、ガラス製のプリズム１６の後方は、アルミ製の保持部１５によって、その両側面が支えられ、プローブ本体１から突出するように保持される。なお、このプリズム１６には、保護テープ２５を接着している。この保護テープ２５については、後で詳細に説明する。
【００２９】
さて、実際の測定においては、最初の患者３を測定した後には、機器の衛生状態を保つために、最初の患者３の口の中に挿入した口腔内挿入部２をプローブ本体１から脱着し、別の新たな口腔内挿入部２と交換するようにしている。
【００３０】
その時、交換する新しい口腔内挿入部２は、その衛生状態を保つために、例えばナイロン製の収納袋（図示せず）にパッキングされている。そのため、口腔内挿入部２の交換時には、まず、一度プローブ本体１を保持台等に置き、次に、両手で収納袋を開封し、片方の手で収納袋から口腔内挿入部２を取り出し、その後、もう一方の手でプローブ本体１を取り上げた後に、そのプローブ本体１の前方に新しい口腔内挿入部２を取りつけることになる。
【００３１】
ここで、本実施形態における最も特徴的な保護テープ２５について、図５、図６、図７を用いて詳細に説明する。
【００３２】
図５は、保護テープ２５を、プリズム１６に接着する前の状態を示した図である。
【００３３】
図５に示すごとく、保護テープ２５は、プリズム１６前端側に設けた傾斜面１８に接着させる傾斜面保護部２６と、このプリズム１６の両側面（右側側面１６ａ、左側側面１６ｂ）に接着させる側面保護部２７ａ、２７ｂと、このプリズム１６の上面１６ｃに接着させる上面保護部２８とを一体成型した構成となっている。
【００３４】
そして、保護テープ２５の傾斜面保護部２６は、プリズム１６の傾斜面１８に接着され、側面保護部２７ａは、プリズム１６の右側側面１６ａに接着され、側面保護部２７ａは、プリズム１６の左側側面１６ｂに接着され、上面保護部２８は、プリズム１６の上面１６ｃの前端部に接着される。
【００３５】
なお、プリズム１６の上面１６ｃの中央部から後端側に至る面と、プリズム１６の下面１６ｄには、保護テープ２５は接着しない非接着面としている。これは、図３からも理解されるとおり、プリズム１６の上面１６ｃの中央部から後端側に至る面と、プリズム１６の下面１６ｄを、光学系の反射面として利用しているためで、反射効率を上げるために、この部分には敢えて保護テープ２５を接着しない。そのため、プリズム１６では、光学系で使用しない部分のみを保護テープ２５を用いて覆うこととしている。
【００３６】
その結果、プリズム１６は、その側面の全周囲を保護テープ２５によって覆われ、接着される構成となっている。
【００３７】
ここで、口腔内挿入部２の交換時においては、図４、図５に示すごとく、口腔内挿入部２の内側に設けられた長形形状のガラス製のプリズム１６が、プローブ本体１の前方で、むき出しの状態で保持されることになる。
【００３８】
そのため、口腔内挿入部の交換時に、プリズム１６を誤って他の治療機器に当ててしまうとか、プローブ本体１を落下させてしまうとかすると、ガラス製のプリズム１６は破損し、その破片が飛散してしまう恐れがある。しかしながら、本実施形態においては、上述のごとく、プリズム１６は、その側面の全周囲を保護テープ２５によって覆われ、接着されているため、結果として、破損したプリズムの破片が飛散するのを防止できるものとなる。
【００３９】
また保護テープ２５は、図４、図５に示すごとく、このプリズム１６の両側面（右側側面１６ａ、左側側面１６ｂ）に接着させる側面保護部２７ａ、２７ｂの後方側端部に接続端部２９を設けている。そして、この接続端部２９を、プローブ本体のアルミ製の保持部１５に当接させた状態で、この保持部１５とプリズム１６との間で、しっかりと挟み込むようにして固定している。つまり、プリズム１６は、その後方の両側面を、接続端部２９を介して、保持部１５で挟み込まれてしっかりと固定され、その状態でプローブ本体１に接続する構成としている。
【００４０】
そのため、保護テープ２５は、接続端部２９によってプローブ本体１にしっかりと繋がった状態で、プリズム１６の全周を抱きかかえるように保護することになっている。これにより、プリズム１６が破損した場合においても、その破片は、保護テープ２５に繋がった状態で保持されるとともに、この保護テープ２５によって抱きかかえられたプリズム１６も、プローブ本体１に繋がった状態で保持されることになる。
【００４１】
その結果として、プリズム１６自体もプローブ本体１からの飛散を防止した状態で、破損したプリズム１６の破片が飛散するのを防止できるものとなっている。
【００４２】
さらにまた、保護テープ２５は、図６（ａ）に示す金属製フィルム３０と、図６（ｂ）に示す樹脂製フィルム３１との２枚のフィルムで構成されており、図６（ｃ）に示すごとく、金属製フィルムの上に、樹脂製のフィルムを貼り合わせた構成としている。
【００４３】
なお、本実施形態においては、金属製フィルム３０には銅製のフィルムを用いており、樹脂製フィルム３１にはＰＥＴ製のフィルムを用いている。
【００４４】
また、図６（ｃ）に示すごとく、金属製フィルム３０は、その側面保護部２７ａ、２７ｂの後方側端部を延長しており、そこに接続端部２９を設けている。そして、保護テープ２５をプリズム１６へ接着した状態においては、図４、図５に示すごとく、接続端部２９は、アルミ製の保持部１５と接続されることになる。この保持部１５は、プローブ本体１からの熱導伝部となっており、この熱伝導部に、銅製の接続端部２９が熱的に接続されることになる。
【００４５】
ここで、口腔内挿入部２は、プローブ本体１への装着時には、図５のパッキン３２によって、その内部を防湿状態に保持するのであるが、その日の初めての使用開始時とか、長時間未使用後の使用開始時においては、口腔内挿入部２の内部は、医療現場の室温と同じ温度になっている。この状態で、患者３の口腔内を測定しようとして、口腔内挿入部２を口腔内に進入させると、患者３の口腔内は、室温に比べて高温高湿であるために、口腔内と口腔内挿入部２内部との温度差によって、口腔内挿入部２の前方に設けた測定窓４に、時として水滴（結露水）が付くことがあり、正確に測定できない時があった。
【００４６】
しかしながら、本実施形態においては、上述したごとく、プローブ本体１からの熱導伝部であるアルミ製の保持部１５と銅製の接続端部２９とを熱的に接続したことにより、プローブ本体１内部の、投影部９あるいは制御部１４で発生するする熱を、保護テープ２５を介して口腔内挿入部２内部のプリズム１６前部に伝えることができる。そして、この保護テープ２５は、プリズム１６の全周に接着されているため、口腔内挿入部２内部の全周を効率的に暖めることができるものとなっている。
【００４７】
その結果として、測定開始時においては、口腔内挿入部２の内部を効率的に暖めることができ、つまり、測定窓４に、水滴が付くこともなく、適切な測定状態を保った状態で、プリズム１６の破損時における飛散を防止できるものとなっている。
【００４８】
さらにまた、本実施形態においては、プリズム１６の光学系で使用しない部分を、保護テープ２５を用いて覆うこととしているが、この保護テープ２５の内面部は光線拡散性を持たせた黒色系（たとえば、艶消しの黒）としている。
【００４９】
これは、図３に示すごとく、測定光は、プリズム１６の上面１６ｃおよび下面１６ｄで反射を繰り返すのであるが、光学系で使用しない部分（たとえば、側面）に当たった光は、測定には不要な光となる。そして、保護テープ２５は、プリズム１６の光学系で使用しない部分を覆い、さらに内面部は光線拡散性を持たせた黒色系（たとえば、艶消しの黒）としているので、この不要な光を取り除くことができ、測定精度を上げることができる。
【００５０】
その結果として、測定時においては、不要な光を取り除き、測定精度を上げた状態で、プリズム１６の破損時における飛散を防止できるものとなっている。
【００５１】
さらにまた、口腔内挿入部２は、患者３の口腔内に進入しやすくするように細長く作られている。そのため、口腔内挿入部２の周囲の外壁は薄く作られており、医療用に用いられるために、その外周の色は白色系となっている。
【００５２】
したがって、図２において、例えば、患者３の前歯３３を測定するときなどは、歯科の部屋の明るい光が、口腔内挿入部２の外壁を通過し、プリズム１６に到達してしまうことになる。
【００５３】
しかしながら、プリズム１６は金属フィルム３０で構成された保護テープ２５で覆われているので、口腔内挿入部２の外壁を通過し、プリズム１６に到達した外光が、プリズム１６内部に進入するのを防止することができるものとなっている。さらに、保護テープ２５を光線拡散性を持たせた黒色系（たとえば、艶消しの黒）としているために、前記外光を吸収し取り除くことができ、これにより、不要な光が口腔内挿入部２内で反射して、保護テープ２５で覆われていない箇所からプリズム１６に進入するのを防ぐことができる。
【００５４】
その結果として、測定時においては、不要な外光を遮光することができ、測定精度を保った状態で、プリズム１６の破損時における飛散を防止できるものとなっている。
【００５５】
また、図７は、プリズム１６の保持状態を説明するための図で、図７（ａ）のＡ−Ａ断面を図７（ｂ）に示し、口腔内挿入部２を後方から見た図を図７（ｃ）に示している。
【００５６】
図７（ｂ）、（ｃ）からも理解されるとおり、プリズム１６は、口腔内挿入部２の内部側に設けられた、２つの上部リブ３４、２つの側部リブ３５、２つの下部リブ３６の合計８個のリブによって支えられている。この時、上部リブ３４と下部リブ３６の４つのリブは、プリズム１６のガラス面に当接するようになっている。
【００５７】
これは、プリズム１６の前端下面の光入出部１７と、口腔内挿入部２の先端側に設けた測定窓４との光学位置を適切に保持するために、寸法精度の良いプリズム１６のガラス面を利用しているためである。このため、図６に示すごとく、上面保護部２８の幅３７は、上部リブ３４の当接位置を確保するため、傾斜面保護部２６の幅３８よりも小さくなっている。
【００５８】
また、口腔内挿入部２の後部は、図２に示すごとく、本体接続部３９において、プローブ本体１に、しっかりと接続されている。そのため、口腔内挿入部２がプローブ本体１に接続された状態では、外部からの衝撃を、プローブ本体１が受けることになり、つまり、衝撃がプリズム１６に直接伝わることはなく、プリズム１６の破損を防止することができるものとなっている。
【産業上の利用可能性】
【００５９】
以上のように本発明は、プローブ本体と、前記プローブ本体の先端側に着脱自在に設けた口腔内挿入部と、この口腔内挿入部の内部に設けられた長形形状のガラス製プリズムと、このプリズムの後方で前記プリズムに光学的に接続された投影部および撮像部とを備え、前記プリズムの前端側下面に光入出部を設けるとともに、この光入出部に対向する上面側に傾斜面を設け、この傾斜面と、この傾斜面に隣接するプリズムの側面に保護テープを接着したものであるので、プリズムの破損時における飛散を防止することができる。
【００６０】
すなわち、本発明においては、プリズム前端の傾斜面と、この傾斜面に隣接するプリズムの両側面に保護テープを接着した、つまり、プリズムの周囲を保護テープで保護した、ものである。そのため、口腔内挿入部の交換時において、プリズムを誤って他の治療機器に当ててしまうとか、プローブ本体を落下させてしまうとかして、ガラス製のプリズムを破損させてしまった場合においても、その破片は保護テープに接着された状態となり、その結果として、プリズムの破片が飛び散ることはなく、その飛散を防止することができる。
【００６１】
したがって、口腔内測定装置として、広く活用が期待されるものである。
【符号の説明】
【００６２】
１  プローブ本体
２  口腔内挿入部
３  患者
４  測定窓
５  位置決めリブ
６  歯
７  測定ボタン
８  ケーブル
９  投影部
１０  光源部
１１  偏光ビームスプリッタ
１２  反射型液晶素子
１３  投影レンズ
１４  制御部
１５  保持部
１６  プリズム
１６ａ  右側側面
１６ｂ  左側側面
１６ｃ  上面
１６ｄ  下面
１７  光入出部
１８  傾斜面
１９  光路
２０  光路
２１  撮像部
２２  測定レンズ
２３  測定素子
２４  着脱ボタン
２５  保護テープ
２６  傾斜面保護部
２７ａ  側面保護部
２７ｂ  側面保護部
２８  上面保護部
２９  接続端部
３０  金属製フィルム
３１  樹脂製フィルム
３２  パッキン
３３  前歯
３４  上部リブ
３５  側部リブ
３６  下部リブ
３７  幅
３８  幅
３９  本体接続部
【図１】
2011087733.tif 000003
【図２】
2011087733.tif 000004
【図３】
2011087733.tif 000005
【図４】
2011087733.tif 000006
【図５】
2011087733.tif 000007
【図６】
2011087733.tif 000008
【図７】
2011087733.tif 000009